(57)【要約】【課題】外部に設けられた任意の複数の端末が有する画像情報を、簡単な操作で単一の画面に同時に表示することが可能なディスプレイシステムを提供する。【解決手段】解像度決定部（４２）によって、入力を受け付けた複数の画像情報の解像度に基づいて、単一画像情報での画像情報の解像度を決定する（Ｓ２０３）。ここでは、入力を受け付けた動画（８１）の解像度である第１受付解像度８０ｐｐｉおよび入力を受け付けたテキストデータ（８２）の解像度である第２受付解像度３００ｐｐｉに基づいて、単一画像情報での解像度を共に第１受付解像度８０ｐｐｉと第２受付解像度３００ｐｐｉとの間の解像度２００ｐｐｉに決定する。このように、入力を受け付けた複数の画像情報の解像度に基づいて単一画像情報での解像度を決定することにより、ユーザーが操作部（１１）から単一画像情報での解像度を入力する必要がなくなるため、操作が簡単になる。【選択図】図１２
2013254033.tif 000002
【特許請求の範囲】
【請求項１】
外部に設けられた複数の端末から画像情報の入力を受付けて単一画面上に表示するための単一画像情報を形成する画像合成装置と、前記画像合成装置に接続され、形成された前記単一画像を表示する表示画面とを備えるディスプレイシステムであって、
前記画像合成装置は前記複数の端末からの画像情報の解像度に基づいて、前記表示画面に表示する画像の解像度を決定する表示画面解像度決定手段を含む、ディスプレイシステム。
【請求項２】
前記表示画面解像度決定手段は、
前記複数の端末が有する画像情報各々の入力を受け付ける受付手段と、
前記受付手段が受け付けた複数の画像情報の解像度に応じて、前記複数の画像情報各々の変換すべき解像度を決定する解像度決定手段と、
前記複数の画像情報各々の解像度を前記解像度決定手段が決定した解像度に変換する解像度変換手段とを含む、請求項１に記載のディスプレイシステム。
【請求項３】
前記受付手段が受け付けた複数の画像情報は、第１の解像度から第２の解像度の間の解像度を有し、前記解像度決定手段は、前記第１の解像度から第２の解像度の間の解像度に決定する、請求項２に記載のディスプレイシステム。
【請求項４】
前記受付手段が受け付けた画像情報は自身のドット数情報を有しており、
前記解像度決定手段は、前記ドット数情報に基づいて前記画像情報の解像度を決定する、請求項２または３に記載のディスプレイシステム。
【請求項５】
前記受付手段が受け付けた画像情報はサイズ情報を有しており、
前記解像度決定手段は、前記サイズ情報に基づいて前記画像情報の解像度を決定する、請求項２〜４のいずれかに記載のディスプレイシステム。
【請求項６】
前記解像度決定手段は、前記複数の画像情報が前記表示画面上で表示される解像度を同じ解像度に決定する、請求項２〜５のいずれかに記載のディスプレイシステム。
【請求項７】
前記解像度決定手段は、前記複数の画像情報各々が前記表示画面上で表示される解像度を前記複数の画像情報ごとに決定する、請求項２〜５のいずれかに記載のディスプレイシステム。
【請求項８】
ユーザーの操作を受付ける操作手段をさらに含む、請求項１〜７のいずれかに記載のディスプレイシステム。
【請求項９】
前記操作手段は、前記複数の画像情報が前記表示画面上で表示されるサイズを決定する表示サイズ決定手段を備える、請求項８に記載のディスプレイシステム。
【請求項１０】
前記操作手段は、前記複数の画像情報が前記表示画面上で表示される位置を決定する表示位置決定手段を備える、請求項８または９に記載のディスプレイシステム。
【請求項１１】
前記操作手段は、前記複数の画像情報が前記表示画面上で表示される優先順位を決定する表示順位決定手段を備える、請求項８〜１０のいずれかに記載のディスプレイシステム。
【請求項１２】
外部に設けられた複数の端末から画像情報の入力を受付けて単一画面上に表示するための単一画像情報を形成する画像合成装置であって、
前記画像合成装置は前記複数の端末からの画像情報の解像度に基づいて、前記表示画面に表示する画像の解像度を決定する表示画面解像度決定手段を含む、画像合成装置。
【発明の詳細な説明】
【技術分野】
【０００１】
この発明は、ディスプレイシステムおよび画像合成装置に関する。
【背景技術】
【０００２】
複数の端末、例えば、パーソナルコンピューター（以下、ＰＣと省略する）等が有する画像情報の入力を受け付けて、所定の処理を行ってから単一の画面に同時に表示すると一覧性が向上して有用である。このようなディスプレイシステムが、例えば、特開２０００−２８４７５７号公報（特許文献１）に開示されている。特許文献１によると、操作入力手段により入力された液晶画面において表示すべき第１入力画像情報の解像度、ならびに第２入力画像情報の解像度に応じて、各入力画像情報は任意のサイズをもって１つの液晶画面上に同時に表示される。さらに、３つ以上の入力画像情報を扱う場合には、入力画像情報の数に応じて必要な構成を追加する。
【先行技術文献】
【特許文献】
【０００３】
【特許文献１】特開２０００−２８４７５７号公報
【発明の概要】
【発明が解決しようとする課題】
【０００４】
従来の、ＰＣ等の複数の端末が有する画像情報の入力を受け付けて、所定の処理を行ってから単一の画面に同時に表示するディスプレイシステムは上記のように構成されていた。しかしながら、ユーザーが変換すべき解像度を入力して設定する必要があり、操作が複雑であった。また、ＰＣとは異なる端末が有する画像情報の入力を受け付けることに関して、その詳細な記載はない。
【０００５】
この発明は、上記のような問題点に鑑みてなされたものであり、外部に設けられた任意の複数の端末が有する画像情報を、簡単な操作で単一の画面に同時に表示することが可能な、ディスプレイシステムおよび画像合成装置を提供することを目的とする。
【課題を解決するための手段】
【０００６】
この発明に係るディスプレイシステムは、外部に設けられた複数の端末から画像情報の入力を受付けて単一画面上に表示するための単一画像情報を形成する画像合成装置と、画像合成装置に接続され、形成された単一画像を表示する表示画面とを備えるディスプレイシステムであって、画像合成装置は複数の端末からの画像情報の解像度に基づいて、表示画面に表示する画像の解像度を決定する表示画面解像度決定手段を含む。
【０００７】
好ましくは、表示画面解像度決定手段は、複数の端末が有する画像情報各々の入力を受け付ける受付手段と、受付手段が受け付けた複数の画像情報の解像度に応じて、複数の画像情報各々の変換すべき解像度を決定する解像度決定手段と、複数の画像情報各々の解像度を解像度決定手段が決定した解像度に変換する解像度変換手段とを含む。
【０００８】
好ましくは、受付手段が受け付けた複数の画像情報は、第１の解像度から第２の解像度の間の解像度を有し、解像度決定手段は、第１の解像度から第２の解像度の間の解像度に決定する。
【０００９】
好ましくは、受付手段が受け付けた画像情報は自身のドット数情報を有しており、解像度決定手段は、ドット数情報に基づいて画像情報の解像度を決定する。
【００１０】
好ましくは、受付手段が受け付けた画像情報はサイズ情報を有しており、解像度決定手段は、サイズ情報に基づいて画像情報の解像度を決定する。
【００１１】
好ましくは、解像度決定手段は、複数の画像情報が表示画面上で表示される解像度を同じ解像度に決定する。
【００１２】
好ましくは、解像度決定手段は、複数の画像情報各々が表示画面上で表示される解像度を複数の画像情報ごとに決定する。
【００１３】
好ましくは、ユーザーの操作を受付ける操作手段をさらに含む。
【００１４】
好ましくは、操作手段は、複数の画像情報が表示画面上で表示されるサイズを決定する表示サイズ決定手段を備える。
【００１５】
好ましくは、操作手段は、複数の画像情報が表示画面上で表示される位置を決定する表示位置決定手段を備える。
【００１６】
好ましくは、操作手段は、複数の画像情報が表示画面上で表示される優先順位を決定する表示順位決定手段を備える。
【００１７】
この発明の他の局面においては、外部に設けられた複数の端末から画像情報の入力を受付けて単一画面上に表示するための単一画像情報を形成する画像合成装置であって、画像合成装置は複数の端末からの画像情報の解像度に基づいて、表示画面に表示する画像の解像度を決定する表示画面解像度決定手段を含む。
【発明の効果】
【００１８】
この発明においては、外部に設けられた任意の複数の端末から画像情報の入力を受付けて、これらの複数の画像情報の解像度に基づいて、表示画面に表示する画像の解像度を決定するようにしたため、ユーザーが変換すべき解像度を設定する必要がない。
【００１９】
その結果、外部に設けられた任意の複数の端末が有する画像情報を、簡単な操作で単一の画面に同時に表示することが可能なディスプレイシステムおよび画像合成装置を提供できる。
【図面の簡単な説明】
【００２０】
【図１】ディスプレイシステム１００ａについて示したブロック図である。
【図２】ディスプレイシステム１００ａが備える表示画面８０が、単一画像情報を表示した様子を示す図である。
【図３】画像合成装置１０の内部構成を示すブロック図である。
【図４】ディスプレイシステム１００ｂについて示したブロック図である。
【図５】画像合成装置１０の内部構成を示すと共に、操作部１１からの所定の情報の入力を追記したブロック図である。
【図６】画像合成装置１０が備える画像情報受付処理部３０ａの内部構成を示すブロック図である。
【図７】画像合成装置１０が備える解像度変換部４０の内部構成を示すブロック図である。
【図８】画像合成装置１０が備える画像情報合成部５０の内部構成を示すブロック図である。
【図９】入力を受け付けた画像情報の解像度を単一画像情報での解像度に変換すると共に単一画像情報でのサイズを変更する処理について、その様子を示した模式図である。
【図１０】画像合成装置１０が備える制御部１５の一連の処理を示すフローチャートである。
【図１１】図１０で説明したフローチャートにおいて、Ｓ０２の処理を示すサブルーチンを示すフローチャートである。
【図１２】図１０で説明したフローチャートにおいて、Ｓ０３の処理を示すサブルーチンを示すフローチャートである。
【図１３】図１０で説明したフローチャートにおいて、Ｓ０４の処理を示すサブルーチンを示すフローチャートである。
【発明を実施するための形態】
【００２１】
（１）第１の実施の形態
以下、この発明の第１の実施の形態を図面を参照して説明する。図１は、この実施の形態に係る、ディスプレイシステム１００ａについて示したブロック図である。なお、ディスプレイシステム１００ａは、任意の複数の端末が有する画像情報の入力を受け付けることが可能であるが、この実施の形態では、液晶テレビ２１が有する動画８１、およびＰＣ２２が有するテキストデータ８２の２つの画像情報の入力を受け付ける場合について説明する。
【００２２】
図１を参照して、ディスプレイシステム１００ａは、動画８１およびテキストデータ８２の入力を受け付けて、これら２つの画像情報に所定の処理を行ってから、単一の画面に表示される画像情報（以下、単一画像情報と省略する）に合成して表示画面８０に出力する画像合成装置１０と、単一画像情報を表示する表示画面８０とで構成される。画像合成装置１０は、自身を制御する制御部１５を含む。
【００２３】
図２は、図１で説明したディスプレイシステム１００ａが備える表示画面８０が、単一画像情報を表示した様子を示す図である。図２を参照して、表示画面８０には、所定の処理が行われた動画８１およびテキストデータ８２を合成した単一画像情報が表示されている。
【００２４】
図３は、図１で説明した画像合成装置１０の内部構成を示すブロック図である。図３を参照して、図２で示した表示画面８０に表示される単一画像情報がどのように生成されるかを説明する。画像合成装置１０は、画像合成装置１０を制御する制御部１５と、外部に設けられた任意の端末が有する画像情報の入力を受け付けて所定の処理を行う画像情報受付処理部３０ａ，ｂと、入力を受け付けた複数の画像情報の解像度に基づいて単一画像情報での解像度を決定し、入力を受け付けた複数の画像情報の解像度を決定した解像度に変換する解像度変換部４０と、解像度が変換された複数の画像情報を合成して単一画像情報を生成する画像情報合成部５０とを含む。
【００２５】
まず、画像情報受付処理部３０ａが、液晶テレビ２１が有する動画８１の入力を受け付ける。そして、入力を受け付けた動画８１の解像度を第１受付解像度として解像度変換部４０に出力すると共に、純粋な動画自身の情報を純粋動画情報として解像度変換部４０に出力する。また、同様に、画像情報受付処理部３０ｂが、ＰＣ２２が有するテキストデータ８２の入力を受け付ける。そして、入力を受け付けたテキストデータ８２の解像度を第２受付解像度として解像度変換部４０に出力すると共に、純粋なテキストデータ自身の情報を純粋テキストデータ情報として解像度変換部４０に出力する。解像度変換部４０は、第１受付解像度および第２受付解像度に基づいて、単一画像情報での動画８１の解像度およびテキストデータ８２の解像度を決定する。このとき決定される単一画像情報での解像度は、予め定められている。こうすることにより、ディスプレイシステム１００ａを使用するユーザーが単一画像情報での解像度を設定する必要がなくなり、操作が簡単になる。
【００２６】
なお、ここでは、予め定められた単一画像情報での解像度は、入力を受け付けた画像情報ごとに相互に同じ解像度である。また、この単一画像情報での相互に同じ解像度は、入力を受け付けた動画８１の解像度である第１受付解像度としてもよいし、テキストデータ８２の解像度である第２受付解像度としてもよいし、第１受付解像度と第２受付解像度の解像度の間の解像度としてもよい。
【００２７】
そして、解像度変換部４０は、純粋動画情報および純粋テキストデータ情報を決定した予め定められた解像度に変換して、受付処理済み動画情報および受付処理済みテキストデータ情報として画像情報合成部５０に出力する。画像情報合成部５０は、入力を受け付けた画像情報が単一画像情報で表示されるときのサイズ、位置、および表示優先順位の初期値を有している。ここで、表示優先順位とは、単一画像情報での画像情報の位置が重なった場合、どの画像情報を優先して表示するか、その順位のことである。画像情報合成部５０は、これらの初期値に基づいて、受付処理済み動画情報および受付処理済みテキストデータ情報を合成して単一画像情報を生成し、表示画面８０に出力する。
【００２８】
（２）第２の実施の形態
以下、この発明の第２の実施の形態を図面を参照して説明する。上記した第１の実施の形態に係るディスプレイシステム１００ａは、入力を受け付けた複数の画像情報を予め定められた解像度に変換し、単一画像情報でのサイズ、位置、および表示優先順位の初期値に基づいて合成して、単一画像情報を生成した。このため、ディスプレイシステム１００ａを使用するユーザーは、全く操作をする必要がなかった。
【００２９】
一方、この第２の実施の形態に係るディスプレイシステム１００ｂは、このディスプレイシステム１００ｂを使用するユーザーが、画像合成装置１０に所定の情報を入力するための操作部１１を備える。ここで、所定の情報とは、入力を受け付ける任意の複数の端末が有する画像情報が単一画像情報に合成されたときのサイズ、位置、および表示優先順位の設定のことである。
【００３０】
図４は、この実施の形態に係るディスプレイシステム１００ｂについて示したブロック図である。なお、操作部１１を備えることを除いて、ディスプレイシステム１００ａと同じであるため、該当部分には同じ番号を付し、同様の説明は省略する。ディスプレイシステム１００ｂは、任意の複数の端末が有する画像情報の入力を受け付けることが可能であるが、第１の実施の形態に係るディスプレイシステム１００ａと同様に、液晶テレビ２１が有する動画８１、およびＰＣ２２が有するテキストデータ８２の２つの画像情報の入力を受け付ける場合について説明する。ここで、一般に、任意の画像情報には、自身の縦×横のドット数に関する情報（以下、ドット数情報と省略する）が埋め込まれている。また、自身の解像度に関する情報（以下、解像度情報と省略する）および／または自身のサイズに関する情報（以下、サイズ情報と省略する）が埋め込まれている場合がある。例えば、スキャナでＰＣに取り込んだ画像情報には解像度情報が埋め込まれている場合がある。また、ＰＤＦ形式の画像情報には、Ａ４，Ｂ５等のサイズ情報が埋め込まれている場合がある。ここでは、動画８１は、ドット数情報だけが埋め込まれた画像情報として説明する。また、テキストデータ８２は、解像度情報およびドット数情報が埋め込まれた、スキャナでＰＣに取り込んだ画像情報として説明する。
【００３１】
図４を参照して、画像合成装置１０は、動画８１が単一画像情報に合成されて表示されたときのサイズおよび位置の設定の入力を第１サイズ設定および第１位置設定として操作部１１から受け付ける。また、同様に、画像合成装置１０は、テキストデータ８２が単一画像情報に合成されて表示されたときのサイズおよび位置の設定の入力を第２サイズ設定および第２位置設定として操作部１１から受け付ける。また、画像合成装置１０は、表示優先順位の設定の入力を表示優先順位設定として操作部１１から受け付ける。
【００３２】
図５は、画像合成装置１０の内部構成を示すと共に、操作部１１からの所定の情報の入力を追記したブロック図である。なお、操作部１１から所定の情報が入力されることを除いて、図３で説明した画像合成装置１０と同じであるので、該当部分には同じ番号を付し、同様の説明は省略する。
【００３３】
図５を参照して、解像度変換部４０は、第１サイズ設定および第２サイズ設定の入力を操作部１１から受け付ける。さらに、解像度変換部４０は、第１受付解像度および純粋動画情報の入力を画像情報受付処理部３０ａから受け付けると共に、第２受付解像度および純粋テキストデータ情報の入力を画像情報受付処理部３０ｂから受け付ける。そして、解像度変換部４０は、入力を受け付けた上記の情報を基に、受付処理済み動画情報および受付処理済みテキストデータ情報を生成して画像情報合成部５０に出力する。また、画像情報合成部５０は、第１位置設定、第１サイズ設定、第２位置設定、第２サイズ設定、および表示優先順位設定の入力を操作部１１から受け付ける。さらに、画像情報合成部５０は、受付処理済み動画情報および受付処理済みテキストデータ情報の入力を解像度変換部４０から受け付ける。そして、画像情報合成部５０は、入力を受け付けた上記の情報を基に、単一画像情報を生成して表示画面８０に出力する。
【００３４】
図６は、図５で説明した画像合成装置１０が備える画像情報受付処理部３０ａの内部構成を示すブロック図である。図６を参照して、画像情報受付処理部３０ａは、画像情報の入力を受け付ける受付部３１と、入力を受け付けた画像情報に埋め込まれた情報を取得する埋込情報取得部３２と、入力を受け付けた画像情報の解像度を決定する受付解像度決定部３６と、入力を受け付けた画像情報に埋め込まれた情報がドット数情報だけのとき、入力を受け付けた画像情報の単一画像情報での解像度を求めるために必要な予め定められた単一画像情報でのサイズの初期値を格納したサイズ初期値記憶部３７とを含む。埋込情報取得部３２は、入力を受け付けた画像情報に解像度情報が埋め込まれている場合、これを取得する解像度情報取得部３３と、サイズ情報が埋め込まれている場合、これを取得するサイズ情報取得部３４と、任意の画像情報に埋め込まれているドット数情報を取得するドット数情報取得部３５とを含む。
【００３５】
まず、受付部３１が、動画８１の入力を受け付ける。次に、埋込情報取得部３２が、動画８１に埋め込まれた情報を取得する。上記した通り、この実施の形態では、動画８１には、ドット数情報だけが埋め込まれており、このドット数情報をドット数情報取得部３５が取得する。そして、受付解像度決定部３６は、このドット数情報をサイズ初期値記憶部３７が格納する単一画像情報でのサイズの初期値で割り算して得られる値を受け付けた動画８１の解像度に決定し、第１受付解像度として解像度変換部４０に出力する。また、画像情報受付処理部３０ａは、動画８１に埋め込まれた情報を除いた純粋な動画自身の情報を純粋動画情報として解像度変換部４０に出力する。
【００３６】
画像合成装置１０が備える画像情報受付処理部３０ｂは、受け付ける画像情報がＰＣ２２の有するテキストデータ８２であることを除いて、図６で説明した画像情報受付処理部３０ａと同じであるので、該当部分には同じ番号を付し、その図示は省略する。
【００３７】
画像情報受付処理部３０ｂの受付部３１は、テキストデータ８２の入力を受け付ける。次に、埋込情報取得部３２が、テキストデータ８２に埋め込まれた情報を取得する。上記した通り、この実施の形態では、テキストデータ８２は、スキャナでＰＣに取り込まれた解像度情報が埋め込まれた画像情報である。この埋め込まれた解像度情報を解像度情報取得部３３が取得する。また、任意の画像情報にはドット数情報が埋め込まれているので、このドット数情報をドット数情報取得部３５が取得する。そして、受付解像度決定部３６は、解像度情報取得部３３が取得した解像度情報を受け付けたテキストデータ８２の解像度に決定し、第２受付解像度として解像度変換部４０に出力する。また、画像情報受付処理部３０ｂは、テキストデータ８２に埋め込まれた情報を除いた純粋なテキストデータ自身の情報を純粋テキストデータ情報として解像度変換部４０に出力する。
【００３８】
なお、テキストデータ８２が、例えば、サイズ情報が埋め込まれたＰＤＦ形式の画像情報である場合、このサイズ情報をサイズ情報取得部３４が取得する。そして、受付解像度決定部３６は、ドット数情報をこのサイズ情報で割り算して得られる値を受け付けたテキストデータ８２の解像度に決定し、第２受付解像度として解像度変換部４０に出力する。すなわち、上記した画像情報受付処理部３０ａ，ｂで行われる処理によって、入力を受け付けた全ての画像情報の単一画像情報での解像度を決定することができる。
【００３９】
図７は、図５で説明した画像合成装置１０が備える解像度変換部４０の内部構成を示すブロック図である。図７を参照して、解像度変換部４０は、入力を受け付けた複数の画像情報の単一画像情報でのサイズの設定を操作部１１から受け付けるサイズ設定受付部４１と、入力を受け付けた複数の画像情報の単一画像情報での解像度を決定する解像度決定部４２と、入力を受け付けた複数の画像情報の拡大縮小倍率を決定する拡大縮小倍率決定部４３と、拡大縮小倍率に基づいて入力を受け付けた複数の画像情報に変換の処理を行う変換処理部４４とを含む。ここで、拡大縮小倍率とは、入力を受け付けた画像情報の解像度に対するこの画像情報の単一画像情報での解像度の倍率と、入力を受け付けた画像情報のサイズに対するこの画像情報の単一画像情報でのサイズの倍率とを乗じて得られる値のことである。
【００４０】
サイズ設定受付部４１は、第１サイズ設定および第２サイズ設定の入力を操作部１１から受け付ける。また、解像度決定部４２は、第１受付解像度および第２受付解像度の入力を画像情報受付処理部３０ａ，ｂから受け付ける。そして、解像度決定部４２は、第１受付解像度および第２受付解像度に基づいて、単一画像情報での動画８１の解像度（以下、第１単一解像度と省略する）、および単一画像情報でのテキストデータ８２の解像度（以下、第２単一解像度と省略する）を決定して、拡大縮小倍率決定部４３に出力する。なお、ここでは、第１単一解像度と第２単一解像度は同じ解像度であるものとする。すなわち、この実施の形態では、入力を受け付けた２つの画像情報の単一画像情報での解像度は、共通した同じ解像度であるものとする。また、この共通した同じ解像度は、第１受付解像度としてもよいし、第２受付解像度としてもよいし、第１受付解像度と第２受付解像度の間の解像度としてもよい。
【００４１】
拡大縮小倍率決定部４３は、第１単一解像度および第１サイズ設定の入力を受け付けて、これらの情報に基づいて、動画８１についての拡大縮小倍率を決定し、第１拡大縮小倍率として変換処理部４４に出力する。また、拡大縮小倍率決定部４３は、第２単一解像度および第２サイズ設定の入力を受け付けて、これらの情報に基づいて、テキストデータ８２についての拡大縮小倍率を決定し、第２拡大縮小倍率として変換処理部４４に出力する。
【００４２】
変換処理部４４は、純粋動画情報および純粋テキストデータ情報の入力を画像情報受付処理部３０ａ，ｂから受け付けると共に、第１拡大縮小倍率および第２拡大縮小倍率の入力を拡大縮小倍率決定部４３から受け付ける。そして、変換処理部４４は、第１拡大縮小倍率に基づいて純粋動画情報に変換の処理を行い、受付処理済み動画情報として画像情報合成部５０に出力する。また、同様に、第２拡大縮小倍率に基づいて純粋テキストデータ情報に変換の処理を行い、受付処理済みテキストデータ情報として画像情報合成部５０に出力する。
【００４３】
図８は、図５で説明した画像合成装置１０が備える画像情報合成部５０の内部構成を示すブロック図である。図８を参照して、画像情報合成部５０は、入力を受け付けた画像情報の単一画像情報での位置の設定の入力を操作部１１から受け付ける位置設定受付部５１と、入力を受け付けた画像情報の単一画像情報でのサイズの設定の入力を操作部１１から受け付けるサイズ設定受付部５２と、表示優先順位設定の入力を操作部１１から受け付ける表示優先順位設定受付部５３と、単一画像情報を格納するフレームメモリ５４と、フレームメモリ５４のアドレスを走査して、フレームメモリ５４への単一画像情報の書込みを制御する書込みアドレス制御部５５と、フレームメモリ５４の各アドレスに入力を受け付けて所定の処理が行われた複数の画像情報のいずれかを選択して書込む選択部５６と、フレームメモリ５４のアドレスを走査して、フレームメモリ５４からの単一画像情報の読み出しを制御する読出しアドレス制御部５７とを含む。書込みアドレス制御部５５は、第１位置設定、第１サイズ設定、第２位置設定、第２サイズ設定、および表示優先順位設定の入力を受け付ける。また、選択部５６は、受付処理済み動画情報および受付処理済みテキストデータ情報の入力を受け付ける。そして、選択部５６は、第１位置設定、第１サイズ設定、第２位置設定、第２サイズ設定、および表示優先順位設定に基づいた書込みアドレス制御部５５の制御によって、フレームメモリ５４の各アドレスに受付処理済み動画情報または受付処理済みテキストデータ情報のいずれかを選択して書込む。読出しアドレス制御部５７は、フレームメモリ５４のアドレスを走査して、フレームメモリ５４に格納された単一画像情報を読出し、表示画面８０に出力する。
【００４４】
次に、この実施の形態において、入力を受け付けた画像情報の解像度を単一画像情報での解像度に変換すると共に単一画像情報でのサイズを変更する処理について、具体的な数値を用いて説明する。図９は、この処理についての様子を示した模式図である。ここでは、画像情報受付処理部３０ａによって入力を受け付けた動画８１の解像度を８０ｐｐｉに決定すると共に、画像情報受付処理部３０ｂによって入力を受け付けたテキストデータ８２の解像度を３００ｐｐｉに決定する。また、ユーザーが操作部１１から設定の入力を行うことにより、単一画像情報での動画８１のサイズは入力を受け付けた動画８１のサイズの２倍に変更し、単一画像情報でのテキストデータ８２のサイズは入力を受け付けたテキストデータ８２のサイズから変更しない。そして、解像度変換部４０によって動画８１およびテキストデータ８２の単一画像情報での解像度を共に２００ｐｐｉに変換して、画像情報合成部５０によってこれら所定の処理が行われた２つの画像情報を合成して単一画像情報を生成する場合について、図４〜８のブロック図、および図１０〜１３のフローチャートを用いて説明する。
【００４５】
図１０は、画像合成装置１０が備える制御部１５の一連の処理を示すフローチャートである。まず、制御部１５は、受付手段として作動する画像情報受付処理部３０ａ，ｂを介して、外部に設けられた複数の端末から画像情報の入力を受け付ける（図１０において、ステップＳ０１、以下、ステップを省略する）。ここでは、画像情報受付処理部３０ａを介して、液晶テレビ２１が有する動画８１の入力を受け付ける。また、同様に、画像情報受付処理部３０ｂを介して、ＰＣ２２が有するテキストデータ８２の入力を受け付ける。次に、画像情報受付処理部３０ａ，ｂによって、入力を受け付けた複数の画像情報の解像度を決定する（Ｓ０２）。ここでは、画像情報受付処理部３０ａによって入力を受け付けた動画８１の解像度を決定し、画像情報受付処理部３０ｂによって入力を受け付けたテキストデータ８２の解像度を決定する。
【００４６】
次に、解像度変換部４０によって、入力を受け付けた複数の画像情報の解像度に基づいて単一画像情報での解像度を決定し、入力を受け付けた画像情報の解像度を決定した解像度に変換する（Ｓ０３）。ここでは、入力を受け付けた動画８１およびテキストデータ８２の解像度に基づいて、単一画像情報でのこれらの画像情報の解像度を決定し、これらの入力を受け付けた画像情報の解像度を決定した単一画像情報での解像度に変換する。Ｓ０１、Ｓ０２およびＳ０３において、制御部１５は、表示画面解像度決定手段として作動する。次に、画像情報合成部５０によって、解像度が変換された複数の画像情報を操作部１１からの所定の情報の入力に基づいて合成し単一画像情報を生成する（Ｓ０４）。ここでは、解像度が変換された動画８１およびテキストデータ８２を操作部１１からの所定の情報の入力に基づいて合成し、単一画像情報を生成する。そして、画像情報合成部５０が備える読出しアドレス制御部５７が行う制御によって、単一画像情報を表示画面８０に出力する（Ｓ０５）。
【００４７】
図１１は、図１０で説明したフローチャートにおいて、Ｓ０２の「受け付けた複数の画像情報の解像度を決定する」という制御部１５が画像情報受付処理部３０ａ，ｂによって行う処理のサブルーチンを示すフローチャートである。図１１を参照して、まず、画像情報受付処理部３０ｂによってテキストデータ８２の入力を受け付ける場合について説明する。
【００４８】
まず、画像情報受付処理部３０ａ，ｂが備えるドット数情報取得部３５によって、画像情報のドット数情報を取得する（Ｓ１０１）。ここでは、画像情報受付処理部３０ｂが備えるドット数情報取得部３５によって、テキストデータ８２のドット数情報を取得する。次に、画像情報に解像度情報が埋め込まれている場合（Ｓ１０２でＹＥＳ）、画像情報受付処理部３０ａ，ｂが備える解像度情報取得部３３によって、この解像度情報を取得する（Ｓ１０３）。ここでは、テキストデータ８２に解像度情報３００ｐｐｉが埋め込まれているので、画像情報受付処理部３０ｂが備える解像度情報取得部３３によって、この解像度情報３００ｐｐｉを取得する。次に、画像情報受付処理部３０ａ，ｂが備える受付解像度決定部３６によって、取得した解像度情報を入力を受け付けた画像情報の解像度に決定する（Ｓ１０４）。ここでは、画像情報受付処理部３０ｂが備える受付解像度決定部３６によって、取得した解像度情報３００ｐｐｉを入力を受け付けたテキストデータ８２の解像度（以下、第２受付解像度と省略する）に決定する。そして、入力を受け付けた画像情報の解像度および埋め込まれた情報を除いた純粋な画像情報自身の情報を解像度変換部４０に出力する（Ｓ１０５）。ここでは、第２受付解像度３００ｐｐｉおよび純粋テキストデータ情報を解像度変換部４０に出力する。
【００４９】
このように、画像情報に埋め込まれた解像度情報を取得して、この取得した解像度情報を入力を受け付けた画像情報の解像度とすることにより、入力を受け付けた画像情報を正確な解像度で単一画像情報に合成できると共に、より適切な解像度変換を行うことが可能となる。
【００５０】
なお、テキストデータ８２が、例えば、サイズ情報が埋め込まれたＰＤＦ形式の画像情報である場合（Ｓ１０２でＮＯ、Ｓ１０６でＹＥＳ）、サイズ情報取得部３４によってサイズ情報を取得する（Ｓ１０７）。そして、受付解像度決定部３６によって、ドット数情報をサイズ情報で割り算して得られる値を第２受付解像度に決定する（Ｓ１０８）。
【００５１】
このように、画像情報に埋め込まれたサイズ情報を取得して、この取得したサイズ情報を基に入力を受け付けた画像情報の解像度を決定することにより、正確な原寸大で単一画像情報に合成できると共に、より適切な解像度変換を行うことが可能となる。なお、動画８１には、解像度情報およびサイズ情報が共に埋め込まれていない（Ｓ１０２でＮＯ、Ｓ１０６でＮＯ）。この場合、画像情報受付処理部３０ａが備える受付解像度決定部３６によって、ドット数情報をサイズ初期値記憶部３７が有する単一画像情報でのサイズの初期値で割り算して得られる値を入力を受け付けた動画８１の解像度（以下、第１受付解像度と省略する）に決定する（Ｓ１０９）。ここでは、第１受付解像度を８０ｐｐｉに決定する。
【００５２】
図１２は、図１０で説明したフローチャートにおいて、Ｓ０３の「受け付けた複数の画像情報の解像度に基づいて単一画像情報での解像度を決定し、受け付けた画像情報の解像度を決定した解像度に変換する」という制御部１５が解像度変換部４０によって行う処理のサブルーチンを示すフローチャートである。図１２を参照して、まず、操作部１１からサイズ設定の入力がある場合（Ｓ２０１でＹＥＳ）、サイズ設定受付部４１によって、このサイズ設定の入力を受け付ける（Ｓ２０２）。ここでは、動画８１の単一画像情報でのサイズを入力を受け付けたサイズの２倍に設定する入力が操作部１１からあるので、サイズ設定受付部４１によって、このサイズ設定の入力を受け付ける。なお、ここでは、テキストデータ８２については、操作部１１からサイズ設定の入力がないので（Ｓ２０１でＮＯ）、サイズ設定の入力を受け付けるＳ２０２の処理は飛ばしてＳ２０３の処理に移る。
【００５３】
次に、解像度決定部４２によって、入力を受け付けた複数の画像情報の解像度に基づいて、単一画像情報での画像情報の解像度を決定する（Ｓ２０３）。ここでは、入力を受け付けた動画８１の解像度である第１受付解像度８０ｐｐｉおよび入力を受け付けたテキストデータ８２の解像度である第２受付解像度３００ｐｐｉに基づいて、単一画像情報での解像度を共に第１受付解像度８０ｐｐｉと第２受付解像度３００ｐｐｉとの間の解像度２００ｐｐｉに決定する。Ｓ２０３において、制御部１５は、解像度決定手段として作動する。このように、入力を受け付けた複数の画像情報の解像度に基づいて単一画像情報での解像度を決定することにより、ユーザーが操作部１１から単一画像情報での解像度を入力する必要がなくなるため、操作が簡単になる。次に、拡大縮小倍率決定部４３によって、単一画像情報での画像情報の解像度およびサイズ設定に基づいて拡大縮小倍率を決定する（Ｓ２０４）。ここでは、単一画像情報での解像度およびサイズ設定に基づいて、動画８１の拡大縮小倍率である第１拡大縮小倍率およびテキストデータ８２の拡大縮小倍率である第２拡大縮小倍率を決定する。
【００５４】
ここで、拡大縮小倍率を求める式は、α＝拡大縮小倍率、Ｎ＝単一画像情報での解像度、Ｍ＝入力を受け付けた画像情報の解像度、β＝入力を受け付けた画像情報のサイズに対するこの画像情報の単一画像情報でのサイズの倍率とすると、α＝Ｎ／Ｍ×βで表される。よって、ここでは、動画８１について、Ｎ＝２００ｐｐｉ、Ｍ＝８０ｐｐｉ、β＝２より、第１拡大縮小倍率は２００／８０×２＝５に決定する。また、テキストデータ８２について、Ｎ＝２００ｐｐｉ、Ｍ＝３００ｐｐｉ、β＝１より、第２拡大縮小倍率は２／３に決定する。
【００５５】
そして、変換処理部４４によって、拡大縮小倍率に基づいて画像情報に変換の処理を行う（Ｓ２０５）。ここでは、上記した第１拡大縮小倍率に基づいて動画８１に変換の処理を行い、第２拡大縮小倍率に基づいてテキストデータ８２に変換の処理を行う。Ｓ２０５において、制御部１５は、解像度変換手段として作動する。このように、解像度およびサイズ設定を考慮した拡大縮小倍率を決定し、この拡大縮小倍率に基づいて入力を受け付けた画像情報に変換の処理を行うことにより、単一画像情報でのサイズを変更するサイズ設定の入力があった場合でも、表示される画像情報がぼやけず、見た目に違和感が生じない。
【００５６】
図１３は、図１０で説明したフローチャートにおいて、Ｓ０４の「解像度が変換された複数の画像情報を操作部１１からの所定の情報の入力に基づいて合成し単一画像情報を生成する」という制御部１５が画像情報合成部５０によって行う処理のサブルーチンを示すフローチャートである。図１３を参照して、まず、操作部１１から位置設定の入力がある場合（Ｓ３０１でＹＥＳ）、位置設定受付部５１によって、この位置設定の入力を受け付ける（Ｓ３０２）。ここで、操作部１１は操作手段として作動し、制御部１５は表示位置決定手段として作動する。ここでは、動画８１およびテキストデータ８２について共に操作部１１から位置設定の入力がないので（Ｓ３０１でＮＯ）、Ｓ３０２「位置設定の入力を受け付ける」の処理は飛ばして、Ｓ３０３の処理に移る。次に、操作部１１からサイズ設定の入力がある場合（Ｓ３０３でＹＥＳ）、サイズ設定受付部５２によって、このサイズ設定の入力を受け付ける（Ｓ３０４）。ここで、操作部１１は操作手段として作動し、制御部１５は表示サイズ決定手段として作動する。ここでは、動画８１について操作部１１から単一画像情報でのサイズを入力を受け付けたサイズの２倍に変更するサイズ設定の入力があるので、このサイズ設定の入力を受け付ける。なお、ここでは、テキストデータ８２について操作部１１からサイズ設定の入力がないので（Ｓ３０３でＮＯ）、テキストデータ８２については、Ｓ３０４「サイズ設定の入力を受け付ける」という処理は飛ばして、Ｓ３０５の処理に移る。
【００５７】
次に、操作部１１から表示優先順位設定の入力がある場合（Ｓ３０５でＹＥＳ）、表示優先順位設定受付部５３によって、表示優先順位設定の入力を受け付ける（Ｓ３０６）。ここで、操作部１１は操作手段として作動し、制御部１５は表示順位決定手段として作動する。なお、ここでは、操作部１１から表示優先順位設定の入力がないので（Ｓ３０５でＮＯ）、Ｓ３０６「表示優先順位設定の入力を受け付ける」という処理は飛ばして、Ｓ３０７の処理に移る。
【００５８】
次に、Ｓ３０２で受け付けた位置設定、Ｓ３０４で受け付けたサイズ設定、およびＳ３０６で受け付けた表示優先順位設定に基づいて書込みアドレス制御部５５に制御される選択部５６によって、フレームメモリ５４の各アドレスに書込む画像情報を選択して書込む（Ｓ３０７）。ここでは、フレームメモリ５４の各アドレスに動画８１またはテキストデータ８２のいずれかを選択して書込む。そして、読出しアドレス制御部５７が、フレームメモリ５４に書込まれた単一画像情報を読み出して表示画面８０に出力する（Ｓ３０８）。
【００５９】
なお、上記した図１３のフローチャートにおいて、まず位置設定の入力を受け付けて、次にサイズ設定の入力を受け付けて、最後に表示優先順位設定の入力を受け付ける場合について説明したが、これに限らず、位置設定、サイズ設定、表示優先順位設定の入力を受け付ける順番はその他のどの様な順番でもよい。
【００６０】
なお、上記の実施の形態においては、入力を受け付けた液晶テレビ２１が有する動画８１およびＰＣ２２が有するテキストデータ８２の単一画像情報での解像度を共通した同じ解像度にする場合について説明したが、これに限らず、相互に異なった解像度としてもよい。
【００６１】
なお、上記の実施の形態においては、液晶テレビ２１が有する動画８１およびＰＣ２２が有するテキストデータ８２の入力を受け付けて合成し、単一画像情報を生成する場合を説明したが、これに限らず、画像情報受付処理部３０ａ，ｂが動画８１およびテキストデータ８２に対して行った入力を受け付けた画像情報の解像度を決定する処理と同様の処理を行うことにより、デジタルカメラが有する写真、携帯電話が有する画像情報、ＰＣ等で使用されるアプリケーションソフトを実行した場合の画像情報、その他の任意の端末が有する画像情報の入力を受け付けてこれらを合成した単一画像情報を生成することが可能である。
【００６２】
なお、上記の実施の形態においては、画像合成装置１０が、２つの画像情報受付処理部３０ａ，ｂを備える場合について説明したが、これに限らず、３つ以上の画像情報受付処理部３０を設けることにより、画像情報受付処理部３０を設けた数だけ、外部に設けられた任意の端末から画像情報の入力を同時に受け付けることが可能となる。また、３つ以上の画像情報の入力を受け付ける場合、これら３つ以上の画像情報の単一画像情報での解像度は入力を受け付けた画像情報の解像度の中で最も高い解像度としてもよいし、最も低い解像度としてもよいし、最も高い解像度と最も低い解像度の間の解像度としてもよい。また、入力を受け付けた３つ以上の画像情報の単一画像情報での解像度は相互に同じ解像度であってもよいし、相互に異なった解像度であってもよい。
【００６３】
なお、上記の実施の形態においては、入力を受け付けた画像情報の解像度を画像情報受付処理部３０ａ，ｂが決定し、この画像情報受付処理部３０ａ，ｂが決定した解像度に基づいて解像度変換部４０が単一画像情報での解像度を決定する場合について説明したが、これに限らず、入力を受け付けた画像情報の解像度をユーザーが操作部１１から設定して決定し、このユーザーが操作部１１から設定して決定した解像度に基づいて解像度変換部４０が単一画像情報での解像度を決定してもよい。
【００６４】
なお、上記の実施の形態においては、入力を受け付けた画像情報の解像度を単一画像情報での共通した同じ解像度に変換してから合成する場合について説明したが、これに限らず、入力を受け付けた画像情報の解像度を変換せずにそのままの解像度で単一画像情報に合成してもよい。
【００６５】
なお、上記の実施の形態においては、入力を受け付けた画像情報の単一画像情報での解像度は、入力を受け付けた画像情報の解像度に基づいて、解像度変換部４０が決定する場合について説明したが、これに限らず、ユーザーが操作部１１から設定して決定するようにしてもよい。
【００６６】
以上、図面を参照してこの発明の実施形態を説明したが、この発明は、図示する実施形態のものに限定されない。図示された実施形態に対して、この発明と同一の範囲内において、あるいは均等の範囲内において、種々の修正や変形を加えることが可能である。
【産業上の利用可能性】
【００６７】
この発明によれば、ディスプレイシステムは、外部に設けられた任意の複数の端末が有する画像情報を、簡単な操作で単一の画面に同時に表示することができるため、ディスプレイシステムとして有利に使用される。
【符号の説明】
【００６８】
１０  画像合成装置、１１  操作部、１５  制御部、２１  液晶テレビ、２２  ＰＣ、３０  画像情報受付処理部、３１  受付部、３２  埋込情報取得部、３３  解像度情報取得部、３４  サイズ情報取得部、３５  ドット数情報取得部、３６  受付解像度決定部、３７  サイズ初期値記憶部、４０  解像度変換部、４１，５２  サイズ設定受付部、４２  解像度決定部、４３  拡大縮小倍率決定部、４４  変換処理部、５０  画像情報合成部、５１  位置設定受付部、５３  表示優先順位設定受付部、５４  フレームメモリ、５５  書込みアドレス制御部、５６  選択部、５７  読出しアドレス制御部、８０  表示画面、８１  動画、８２  テキストデータ、１００ａ，ｂ  ディスプレイシステム。
【図１】
2013254033.tif 000003
【図３】
2013254033.tif 000004
【図４】
2013254033.tif 000005
【図５】
2013254033.tif 000006
【図６】
2013254033.tif 000007
【図７】
2013254033.tif 000008
【図８】
2013254033.tif 000009
【図１０】
2013254033.tif 000010
【図１１】
2013254033.tif 000011
【図１２】
2013254033.tif 000012
【図１３】
2013254033.tif 000013
【図２】
2013254033.tif 000014
【図９】
2013254033.tif 000015